Podtech/llm-jp-corpus-v4-ja_patent huggingface dataset:
(57)【要約】      （修正有）【課題】感温磁性材料の磁気特性を応用した玩具を提供する。【解決手段】磁石１を同極で対面して配置し、磁石１間に感温磁性材料２を配置し、感温磁性材料２をその素材のキュリ−温度以上に加熱あるいはキュリ−温度以上に冷却して磁石１を動かし、磁石１の動作で造形物３を動かす。【選択図】図１
2014217710.tif 000002
【特許請求の範囲】
【請求項１】
磁石を同極で対面して配置し、磁石間に感温磁性材料を配置し、感温磁性材料をその素材のキュリ−温度以上に加熱あるいはキュリ−温度以下に冷却して磁石を動かし、磁石の動作で造形物を動かすことを特徴とする玩具。
【発明の詳細な説明】
【技術分野】
【０００１】  本発明は、感温磁性材料の磁気特性を応用した玩具に関するものである。
【背景技術】
【０００２】  従来、感温磁性材料のキュリ−温度近傍における磁化の変位を利用して、熱エネルギ−を力学的エネルギ−に変換する方法や熱機関および感温開閉器が考案されていが、基本的に工業製品のみであり、それ以外では一般社会には普及していない。
【先行技術文献】
【０００３】
【実用新案文献１】
実用新案出願公開平４−６１４９（感温開閉器）
【発明の概要】
【発明が解決しようとする課題】
【０００４】  本発明は、従来の課題を解決し、一般社会への普及を促進するために、遊戯性を付加して感温磁性材料の磁気特性を応用した玩具を提供する目的からなされたものである。
【課題を解決するための手段】
【０００５】  上記の課題を解決する本発明は、以下の通りである。
磁石を同極で対面して配置し、磁石間に感温磁性材料を配置し、感温磁性材料をその素材のキュリ−温度以上に加熱あるいはキュリ−温度以下に冷却して磁石を動かし、磁石の動作で造形物を動かすことを特徴とする玩具。
【発明の効果】
【０００６】  感温磁性材料の磁気特性を応用した感温開閉器が考案されているが、本発明はこれらに遊戯性を加えて幅広い年代で楽しめる玩具を提供できたものである。【０００７】  感温磁性材料はキュリー温度が常温付近にあるので、お湯などの温度で磁性を失わせることができ、お風呂場で遊べる玩具や様々な造形物を用いて観光地のお土産品を作ることができる。【０００８】  現在、感温フェライトやＦｅ−Ｎｉ，Ｆｅ−Ｎｉ−Ｃｒ等の金属感温磁性材料が生産され、電磁調理器の電磁誘導加熱材料や温度スイッチ材料として限定的に使用されているが、今後はこれらの素材が玩具にも利用されて、社会に潤いを与える様々な玩具やお土産品が生産されて産業の発展に貢献でき、更なる特性の優れた磁性材料の開発や応用が促進されるものと期待できる。
【図面の簡単な説明】
【０００９】
【図１】本発明の玩具の実施例で磁石が開状態の正面図である。
【図２】本発明の玩具の実施例で磁石が閉状態の正面図である。
【図３】本発明の玩具の他の実施例で磁石が開状態の正面図である。
【図４】本発明の他の実施例で磁石が平行移動で開状態の正面図である。
【発明を実施するための形態】
【００１０】  以下、本発明の実施の形態を図面に基づき詳細に説明する。
【００１１】  本発明の実施例を図１と図２をもって説明する。
【００１２】  本実施例は、童話「桃太郎」を題材にした玩具で、お風呂に入れると桃が二つに割れて桃の中から桃太郎の人形が現れる玩具の実施例である。
【００１３】  磁石１を磁気の反発力が生じる同極で対面して配置し、磁石１間に感温磁性材料２を配置し、内部空洞の半円球型の造形物３を磁石１に取付け、題材の像４として桃太郎の人形を台座８に乗せた実施例である。
【００１４】  図１は玩具をお湯等の液体７に入れると、感温磁性材料２がキュリ−温度以上に加熱されて磁化を失い、磁石１同志の反発力で磁石同志が離れ、内部空洞の半円球型の造形物３が開き、桃太郎の人形が現れた開状態を示したものである。
【００１５】  磁石１は回転支点５とリンク機構６で感温磁性材料２に半固定されている実施例である。
【００１６】  図２は大気中あるいは水中で感温磁性材料２がキュリ−温度以下に冷却され、磁石１で磁化して磁石１と吸着し、造形物３が閉じた閉状態を示したものである。
【００１７】  本実施例は、桃太郎を題材にしたものであるが、実施においては動植物や様々なキャラクタ−グッズ等を用いることもできる。
【００１８】  本玩具は、題材によって、内部空洞の半円球型の造形物３の中の題材の像４等を変えて楽しむことができるし、何が現れるかの「当てっこゲ−ム器」とすることもできる。
【００１９】  実施において題材の像４は、感温磁性材料２に直接固定したりネジ込みでもよく、また本図の様に台座８を設けて置いたり、マジックテ−プや磁石を用いて固定することもできる。
【００２０】  例えば、恋人同志がキスをしている人形を題材にすると、玩具としても楽しいし、恋人や夫婦喧嘩の仲直りグッズ、老夫婦の回春グッズとしても面白い。
【００２１】  図３は、お湯に入れるとクジャクが羽根を広げる玩具の実施例であり、羽根の代わりに扇や垂れ幕として、各地の観光地の絵画や写真を用いたお土産品を作ることもできる。
【００２２】  実施においては図３の様に、浮き輪９を付けて液面に浮かべたり、保護板１０を設けると磁石１と稼動部分の破損を防止でき、卓上に置く場合も便利である。
【符号の説明】
【００２３】  １…磁石
２…感温磁性材料
３…造形物
４…題材の像
５…回転支点
６…リンク機構
７…液体
８…台座
９…浮き輪
１０…保護板
【図１】
2014217710.tif 000003
【図２】
2014217710.tif 000004
【図３】
2014217710.tif 000005
【図４】
2014217710.tif 000006
(57)【要約】【課題】  鼻の奥の詰まりを解消するため、鼻水吸い取り器の吸い取り口にノズルを設けた挿入式鼻水吸い取り器を提供する。【解決手段】  鼻水吸い取り器（１）の吸い取り口にノズル（２）を設けた挿入式鼻水吸い取り器を特徴とする。【選択図】図２
2014217716.tif 000002
【特許請求の範囲】
【請求項１】
鼻水吸い取り器（１）の吸い取り口にノズル（２）を設けた挿入式鼻水吸い取り器。
【発明の詳細な説明】
【技術分野】
【０００１】  この発明は、鼻の奥に挿入できるノズルを装着した挿入式鼻水吸い取り器に関するものである。
【背景技術】
【０００２】  従来、鼻水吸い取り器は鼻の穴に吸い取り口を押しつけ、鼻水を吸い取っていた。
【先行技術文献】
【特許文献】
【０００３】
【特許文献１】
【発明の概要】
【発明が解決しようとする課題】
【０００４】  これは次のような欠点があった。
従来、鼻水吸い取り器は、鼻の穴に吸い取り口を押しつけ、鼻の入り口部分の鼻水を吸い取るのみであった。鼻の奥や副鼻腔に詰まった鼻水を吸い取ることができず、鼻の奥の詰まりが解消されないという欠点があった。
本発明は、以上のような従来の欠点に鑑み、鼻の奥や副鼻腔に詰まった鼻水の吸い取りを可能にするものである。
【課題を解決するための手段】
【０００５】  吸い取り口にノズルを装着し、ノズルを鼻の穴の奥に挿入することで鼻の奥や副鼻腔に詰まった鼻水の吸い取る。
【発明の効果】
【０００６】  ノズルを挿入することで、鼻の奥や副鼻腔に詰まった鼻水の吸い取りが可能になり、鼻の奥の不快感が解消される。
【図面の簡単な説明】
【０００７】
【図１】本発明の斜視図である。
【図２】本発明の使用断面図である。
【発明を実施するための形態】
【０００８】  以下、本発明を実施するための形態について説明する。
鼻水吸い取り器の吸い取り口（１）に、ノズル（２）を差し込み装着する。
これを使用するときは、装着したノズルを鼻の穴に挿入し、鼻の奥の不快な部分の鼻水を吸い取り器で吸い取ればよい。
その他の応用例として、スポイトに塩水などの洗浄液を入れ、ノズル（２）を装着する。
ノズルを鼻の穴に挿入し、スポイトの洗浄液を噴出、鼻の中の洗浄に用いることもできる。
【符号の説明】
【０００９】１．  鼻水吸い取り器
２．  ノズル
【図１】
2014217716.tif 000003
【図２】
2014217716.tif 000004
(57)【要約】【課題】両手鍋の突き出た取っ手の無駄な収納空間、又固定された取っ手のために常に洗浄しにくい狭い部分それらを解決する為に折り畳み鍋取っ手を提供する。【解決手段】取っ手の鍋本体に近い部分に支軸部を設けこの部分を支点に取っ手の先の部分が自由に鍋本体側面にまで折れ曲がる事を特徴とする折り畳み取っ手。【選択図】図１
2014217719.tif 000002
【特許請求の範囲】
【請求項１】
鍋の取っ手を、自由に鍋本体側面に沿うように折り畳む機能を持たせ、固定し出っ張った取っ手の無駄な空間をなくし、自由に取っ手が動くことにより、固定された取っ手金具部周りの洗い残しのできる狭い部分が楽に洗え、清潔を常に保てる事を特徴とする鍋の取っ手。
【発明の詳細な説明】
【技術分野】
【０００１】本発明は両手鍋の取っ手に、折り畳み機能を持たせた物である。
【背景技術】
【０００２】従来の両手鍋の取っ手は、鍋本体に固定され、出っ張っているので置き場所に無駄な空間ができ、又取っ手と鍋本体の狭い部分が洗いぬくく、清潔を保ちにくい。
【発明の開示】
【発明が解決しようとする課題】
【０００３】  その為に次のような問題点があった。
固定され突き出た取っ手は、無駄な置き場所空間が必要になり鍋本体に固定された取っ手と、鍋本体の間の狭い部分が洗いぬくく清潔を保ちにくかった。
本発明は以上の問題点を、解決しようとするものである。
【課題を解決する為の手段】
【０００４】鍋本体に取っ手部分を取付ける為の取付け穴の付いた金具を設け、それに取付け穴の付いた取っ手部金具とを止める支軸金具により、本体取付け金具部と取っ手金具部をつなぎ止め、その支軸金具部を中心として、取っ手が自由に本体に沿うよう折り畳まれる事により、無駄な空間、又、洗いぬくい部分を解消する。
以上を特徴とする鍋の取っ手である。
【発明の効果】
【０００５】本発明は鍋の突き出て固定された取っ手により生じる無駄な空間、又その為に狭く洗いぬくく、清潔を保ちぬくい、等の問題点が解決される。
【発明を実施するための最良の形体】
【０００６】  以下、本発明の実施の形体を説明する。
（イ）両手鍋本体に固定して取っ手金具部を取付ける為の穴の開いた（１）の鍋本体取付金具。
（ロ）本体取付金具（１）と取っ手部金具（３）を繋ぎとめる為の支軸金具（２）
（ハ）鍋本体取付金具（１）の先に取付ける取っ手部金具（３）
本発明は以上の構成よりなっている。
本発明を使用するときは、取っ手部を持ち上げ開き通常の形で使用し、又洗淨収納では必要に応じて取っ手を本体側面側に沿い自由に角度を調整し使用する。
この結果置き場所、収納での無駄な空間が減り、又取っ手周りの狭い部分の洗淨が楽に簡単となる。
【図面の簡単な説明】
【０００７】
【図１】本発明の斜視図
【図２】本発明の分解斜視図
【図３】本発明の使用状態を示す斜視図
【符合の説明】
【０００８】１  本体取付金具
２  取っ手取付支軸金具
３  取っ手金具
【図１】
2014217719.tif 000003
【図２】
2014217719.tif 000004
【手続補正書】
【提出日】平成25年7月5日(2013.7.5)
【手続補正２】
【補正対象書類名】図面
【補正対象項目名】図３
【補正方法】追加
【補正の内容】
【図３】
2014217719.tif 000005
(57)【要約】【課題】  使用時にうちわのような形にできる、うちわ型扇子を提供する。【解決手段】  通常の扇子を想定した時、たたんだ状態において、一番外側に一対の親骨を設け、親骨の内側に一対の中骨を設け、中骨の内側に複数の子骨を設け、親骨と中骨と子骨の重なり合った基端近くに全てを貫通する要軸を設け、親骨を除く中骨と子骨の全てに固着された蛇腹状の扇部を設け、中骨の外側・要軸の近辺の位置にストッパーを設け、扇部と固着していない親骨は１８０度回転し握り柄となることを特徴とするうちわ型扇子。【選択図】図１
2014217720.tif 000002
【特許請求の範囲】
【請求項１】
通常の扇子を想定した時、たたんだ状態において、一番外側に一対の親骨を設け、親骨の内側に一対の中骨を設け、中骨の内側に複数の子骨を設け、親骨と中骨と子骨の重なり合った基端近くに全てを貫通する要軸を設け、親骨を除く中骨と子骨の全てに固着された蛇腹状の扇部を設け、中骨の外側・要軸の近辺の位置にストッパーを設け、扇部と固着していない親骨は１８０度回転し握り柄となることを特徴とするうちわ型扇子。
【発明の詳細な説明】
【技術分野】
【０００１】  本発明は、使用時にうちわのような形にできる、うちわ型扇子に関するものである。
【背景技術】
【０００２】  従来のうちわ型扇子は、扇部より長い一対の親骨が３６０度回転し重なり合った親骨を握り柄としていた。
【発明の概要】
【発明が解決しようとする課題】
【０００３】  そのために次のような問題点があった。
（イ）骨の数が多くなり扇部が大きくなる分、たたんだ際にかなり分厚くなり、かさばっ      てしまう。
（ロ）扇部より親骨を長くする必要があり大きくなってしまう為、携帯しづらくなってし      まう。
本発明は以上の問題点を解決しようとするものである。
【課題を解決するための手段】
【０００４】  通常の扇子を想定した時、たたんだ状態において、一番外側に一対の親骨を設け、親骨の内側に一対の中骨を設け、中骨の内側に複数の子骨を設け、親骨と中骨と子骨の重なり合った基端近くに全てを貫通する要軸を設け、親骨を除く中骨と子骨の全てに固着された蛇腹状の扇部を設け、中骨の外側・要軸の近辺の位置にストッパーを設ける。扇部と固着していない親骨は１８０度回転し握り柄となる。
以上を特徴とするうちわ型扇子である。
【発明の効果】
【０００５】  従来の扇子と比べ骨の数を増やす必要がなく、扇部が必要以上に大きくならない為、分厚くかさばることがない。
また、親骨を扇部より長く突き出す必要がないので携帯しやすい。
【図面の簡単な説明】
【０００６】
【図１】本発明の使用時の状態を示す斜視図
【図２】本発明のたたんだ状態を示す斜視図
【発明を実施するための形態】
【０００７】  以下、本発明の実施の形態について説明する。
（イ）通常の扇子を想定した時、たたんだ状態において、一番外側に一対の親骨（２）を      設ける。
（ロ）親骨（２）の内側に一対の中骨（３）を設ける。
（ハ）中骨（３）の内側に複数の子骨（４）を設ける。
（ニ）親骨（２）と中骨（３）と子骨（４）の重なり合った基端近くに、全てを貫通する      要軸（５）を設ける。
（ホ）親骨（２）を除く中骨（３）と子骨（４）の全てに固着された蛇腹状の扇部（１）      を設ける。
（ヘ）中骨（３）の外側・要軸（５）の近辺の位置にストッパー（６）を設ける。尚、ス      トッパー（６）は親骨（２）の内（裏）側に設けても、何ら支障は無い。
本発明は、以上の構成よりなっている。
本発明を使用するときは、中骨（３）と子骨（４）とともに扇部（１）を広げる。一対の親骨（２）は扇部（１）から離れて、親骨（２）相互にそれぞれ逆方向に１８０度回転したところで、それぞれの内側にある中骨（３）の要軸（５）近辺の位置にあるストッパー（６）に当たり止まって、握り柄（７）となる。ストッパー（６）を親骨（２）に設けた場合は、回転した親骨（２）のストッパー（６）が中骨（３）もしくは子骨（４）に当たり止まった状態で握り柄（７）が出来る。従来の扇子と比べ骨の数を増やす必要がなく、扇部（１）が必要以上に大きくならない為、分厚くかさばることがない。また、親骨（２）を扇部（１）より長く突き出す必要がないので携帯しやすい。
【符号の説明】
【０００８】１  扇部
２  親骨
３  中骨
４  子骨
５  要軸
６  ストッパー
７  握り柄
【図１】
2014217720.tif 000003
【図２】
2014217720.tif 000004
(57)【要約】【課題】ゴルフでティ−アップしたボールをクラブで打ったとき、ティーの飛散を抑止すると共に、ポケットに保持している時の突きささり感が激減するゴルフ用ティーを提供する。【解決手段】ゴルフボールを載置し、その状態を保持する胴体部２と、その胴体部２の飛散を抑止するため地中に埋め込む埋設部３とよりなり、その胴体部２と埋設部３は連結部を形成すると共に、軟性体４で繋着されている。【選択図】図４
2014217711.tif 000002
【特許請求の範囲】
【請求項１】
ゴルフボールを載置し、その状態を保持する胴体部と、その胴体部の飛散を抑止するため地中に埋め込む埋設部とよりなり、その胴体部と埋設部は連結部を形成すると共に、軟性体で繋着されていることを特徴とするゴルフ用ティー。
【発明の詳細な説明】
【技術分野】
【０００１】  本発明は、ゴルフボールをティーアップするゴルフ用ティーに関する。（以下「ティー」と言う）
【背景技術】
【０００２】  従来、ティーはクラブでボールを打った際、共に打たれ飛散するが、その衝撃を吸収して飛散を抑止するように考慮されたティーとして、屈折して衝撃を吸収するティーや、嵌合部が離れ二分して衝撃を吸収するティー、弾性材で形成され、弾性材部が衝撃を吸収するティーが主流であった。
【発明の概要】
【発明が解決しようとする課題】
【０００３】  ところが上記ティーで、屈折および二分する部分は地表より上方に位置しているため、クラブがその部分より下に当たった場合効果がなかった。【０００４】  弾性材で形成されたティーは柔軟性にも限界があり、クラブの衝撃吸収率も悪く効果が低かった。【０００５】  また、上記いずれのティーも地中への差し込み部、つまり長い尖端部がポケットに入れて携行中、股を突くためチクチク感があった。【０００６】  本発明は、斯かる事情に鑑みてなされたもので、従来の前記問題を一挙に解決することが出来るティーを提供することを目的としている。
【課題を解決するための手段】
【０００７】  ゴルフボールを載置し、その状態を保持する胴体部と、その胴体部の飛散を抑止するため地中に埋め込む埋設部とよりなり、その胴体部と埋設部は連結部を形成すると共に、軟性体で繋着されていることを特徴とする。
【発明の効果】
【０００８】  本発明のティーによれば、胴体部と埋設部を連結した状態で地中に差し込み、それより胴体部を少し引き上げることにより胴体部と埋設部が分離させる。このとき胴体部の一部も地中に差し込まれていて直状を維持している。この状態でゴルフボールが載置される。つまりティーアップされる状態である。【０００９】  ティーアップされたボールを打ち、胴体部が飛散したときは、胴体部と埋設部は軟性体で繋着されているため、胴体部の飛散する力が軟性体を介して埋設部に伝わる。このとき地中の埋設部は胴体部の飛散方向に引っぱられこのとき土の抵抗を受け胴体部の飛散を抑止する。【００１０】  このようにティーの胴体部と先端部は、ティーアップのとき既に地中で離れているため、ボールを打った衝撃は直接埋設部に伝わらずそのまま地中に位置している。胴体部が軟性体の長さの限界まで飛んだとき軟性体を介して地中の埋設部に伝わる。このとき埋設部は土の抵抗を受け胴体部の飛散を抑止する。【００１１】  また、このティーの埋設部は、従来のティーの尖端部に該当するが、非常に短く、さらに胴体部と分離されるため、ズボンのポケットに入れて携行中、股の突きによるチクチク感を解消する。【００１２】  尚、本発明の「軟性体」とは、弾性材及び紐類や糸状も含む。また、この軟性体が胴体部内に納まらず胴体部周囲に垂れても良く、また、埋設部と一体形成しても良い。（図示せず）
【図面の簡単な説明】
【００１３】
【図１】本発明の一実施例の埋設部と胴体部を直状に連結した状態を示す断面図
【図２】本発明の図１の埋設部と胴体部を離した状態を示す断面図。
【図３】本発明のゴルフボールをティーアップする状態を示す断面図。
【図４】本発明のゴルフティーに衝撃が加わった状態を想像した断面図。
【発明を実施するための形態】
【実施例】
【００１４】  本発明の実施の形態を添付図面に例示した本発明の実施例に基づいて、以下に具体的に説明する。【００１５】  まず、図１は本発明の一実施例の埋設部３と胴体部２を直状に連結している。ゴルフボールをティーアップするときはこの状態で地中５に差し込む。このとき埋設部３と胴体部２は接続部により連結されているから、地中５に差し込むとき力を加えても折れることはない。【００１６】  つぎに図２は埋設部３と胴体部２とは離れているが軟性体４で繋着されている。つまりこのとき埋設部３と胴体部２とは軟性体４を介して離れ、解放状態にある。【００１７】  図３はゴルフボールをティーアップする状態で、これは図１のティー１を地中５に差し込みその後、胴体部２を引き上げ予め埋設部３と胴体部２を離している。このとき胴体部２と埋設部３は軟性体４で繋ながれているため、これによりゴルフボールをクラブで打ち、胴体部２が飛散してもそのときの衝撃が直接埋設部３に伝わらず軟性体４を介して埋設部３に伝わる。【００１８】  図４はティーアップしたゴルフボールを打ちティー１に衝撃が加わった状態で、これは胴体部２が飛散し軟性体４の有効長の限界に位置している。これより埋設部３に伝わる力は、胴体部２の飛散方向に軟性体４を介して伝わり埋設部３はその伝わる力の方向に向きを変えようとして土の抵抗をうける。この抵抗により胴体部２の飛散を抑止する。【００１９】  以上のように本発明のティーによれば、飛散する胴体部２を、地中に埋め込まれている埋設部３が軟性体４を介して抑止し、また、尖端部である埋設部３が短く、胴体部２と離れるためポケットに入れての携行中、股を突くチクチク感が解消される。
【符号の説明】
【００２０】  １．．．．．ゴルフティー
２．．．．．胴体部
３．．．．．埋設部
４．．．．．軟性体
５．．．．．地中
【図１】
2014217711.tif 000003
【図２】
2014217711.tif 000004
【図３】
2014217711.tif 000005
【図４】
2014217711.tif 000006
(57)【要約】【課題】硬い食材を包丁で切断する際に、力を入れて包丁で切断しなくてはならないので、手が滑って怪我をする時があった。包丁の切断用補助具は構造が複雑で取扱い、収納に問題があった。【解決手段】食材を切断する際に包丁の先端を保持するガイド部に係止部を設け、係止部には包丁の出し入れ自在な挿入口を設け、ガイド部本体と一体に取付けられた食材を載せる載置板を設け、挿入口の幅に合わせた溝部を載置板の端まで延ばして設けた包丁の切断用補助具。【選択図】図３
2014217715.tif 000002
【特許請求の範囲】
【請求項１】
食材を切断する際に包丁の先端を保持するガイド部に係止部を設け、係止部には包丁の出し入れ自在な挿入口を設け、ガイド部本体と一体に取付けられた食材を載せる載置板を設け、挿入口の幅に合わせた溝部を載置板の端まで延ばして設けた包丁の切断用補助具。
【発明の詳細な説明】
【技術分野】
【０００１】  本発明は、料理の際に包丁で食材が硬くて切りにくいものを切断するのに補助具を用いて少ない力で切断する包丁の切断用補助具に関する。
【背景技術】
【０００２】  従来、硬い食材を包丁で切断する時には色々な補助具を用いて切断していた。例えばまな板に金属のスライドバーが付いていて、そこに包丁の先に加工された溝に合わせて包丁をこていして使うものや、まな板の板面に取付けられた支柱の受け部に包丁の刃身を挿入して切断していた。
【先行技術文献】
【特許文献】
【０００３】
【特許文献１】  特開２０１０−２７９４１２号公報
【特許文献２】  特開平２−１５９９６号公報
【発明の概要】
【発明が解決しようとする課題】
【０００４】  食材を包丁で切断する時、次のような問題点があった。
（１）まな板に金属のスライドバーが付いていて、そこに包丁の先に加工された溝に合わせて包丁をこていして使うものが知られていたが、専用のまな板とそこに取り付ける包丁も特別のものを使用しなくてはならなかったので、不便であった。
（２）特許文献１で示されている、まな板及びまな板の補助具については、専用のまな板を用意する必要があり、補助具が大きく収納や洗う際に突起等があり衛生上問題が有った。
（３）特許文献２で示されている、かぼちゃ類切断機も専用のまな板と包丁を用いなければならなかった。
本発明は、以上の問題点を解決するためになされたものである。
【課題を解決するための手段】
【０００５】  食材を切断する際に包丁の先端を保持するガイド部に係止部を設け、係止部には包丁の出し入れ自在な挿入口を設け、ガイド部本体と一体に取付けられた食材を載せる載置板を設け、挿入口の幅に合わせた溝部を載置板の端まで延ばして設けた包丁の切断用補助具。
【発明の効果】
【０００６】  従来は専用のまな板に切断機を取り付けた複雑な装置であったので、切断用補助具がシンプルで使いやすく収納にかさばら無い。使い終わった後も複雑な形状をしていないために、洗い易いので調理用品としては衛生的に保たれる。又、包丁も専用の包丁ではなく従来使用していた包丁がそのまま使用できるので使い易く、綺麗に切断出来る。
当然、調理の際でも硬い食材を少ない力で容易に切断出来るので、調理の際に手を滑らせて、怪我をすることが無くなる。例えば子供が調理をする場合でも安心である。又、高齢者で手が不自由でも本発明の切断用補助具を用いることによって、硬い食材でも両手が使えるので、容易に切断できるので使い易いので便利である。
【図面の簡単な説明】
【０００７】
【図１】本発明の斜視図。
【図２】本発明の平面図。
【図３】本発明のガイド部に包丁を挿入した状態図。
【図４】食材を切断する時の包丁と食材の位置を示す側面状態図。
【発明を実施するための形態】
【０００８】  以下、本発明の実施の形態について説明する。
（イ）包丁（１）の先端部（２）が挿入出来る係止部（３）を有する、ガイド部（４）を設ける。
（ロ）ガイド部（４）に設けられた係止部（３）には包丁（１）の先端部（２）が出し入れ自在に成し。図１に示されたように包丁の用途によって切刃が薄いものと、出刃包丁のように厚いものがあるので、係止部（３）の挿入口（５）の幅をそれらに合わせて用意すると良い。本実施例では二種類に対応可能にしてある実施例が示されている。
（ハ）ガイド部（４）の一端には調理具材、例えば硬い大根（６）等を置く載置板（７）がガイド部（４）と一体に設けてある。
（ニ）載置板（７）には係止部（３）の挿入口（５）の幅に合わせて、載置板（７）の一端まで、溝（８）が設けられ、包丁（１）にて大根（６）を切断した際の包丁（１）の刃面の逃げ部を設けることで、最後まで綺麗に切断する為に設けられている。
本発明は以上のような構造である。
【０００９】  本発明を使用する時は、調理する食材が例えばかぼちゃのような硬い場合、載置板（７）に食材を置き、図４では硬い大根（６）を載置板（７）に横向きセットする。（８）そして、使用する包丁（１）を確認して、ガイド部（４）の上方から包丁（１）（９）の先端を挿入して、挿入口（５）の下端に刃先を位置させ、大根（６）の切断位置を確認して、包丁（１）の柄（９）を持って下に圧接すると、包丁（１）の先端部は係止部（３）の所で保持される。つまり、包丁（１）の先端部（２）が支点となるので、テコの原理で柄（９）又は硬さに応じて、柄（９）と包丁（１）の背中部分も一緒に下に押すことによって対応できるので、従来の包丁での切断のやり方に比べ押圧力は少なくて済み、硬い食材を切断する場合でも楽な力で、溝（８）を設けたことによって綺麗に切断出来る。
又、連続して薄く切る場合も例えば、右から左に食材を押し出す事によって切断作業がスムーズに行うことが出来る。
【符号の説明】
【０００９】１包丁、２先端部、３係止部、４ガイド部、５挿入口、６大根、７載置板、８溝、９柄
【図１】
2014217715.tif 000003
【図２】
2014217715.tif 000004
【図３】
2014217715.tif 000005
【図４】
2014217715.tif 000006
(57)【要約】      （修正有）【課題】従来のまな板では固いものは刃物の刃先を傷めやすく、調理、飾り切りが困難。まな板部分の上にある調理済み食材などを移動する時こぼす事がある。【解決手段】溝穴１で刃物の腹まで食材に入り込むので、固いもの、飾り切りが楽。台２を設けた事により、まな板部分の下に容器が入るので、調理済みの物の移動が楽である。【選択図】図１
2014217717.tif 000002
【特許請求の範囲】
【請求項１】
まな板部分の下に、バット、お皿など容器が充分入り込める高さの台を設け、まな板部分に刃物が入りこめる溝穴を開けた溝穴付きまな板台で、まな板部分に設ける溝穴の数、形状、位置及び、溝穴付きまな板部分の下に設ける台の数、形状、位置及び、溝穴付きまな板部分と台部分の着脱を含む。
【発明の詳細な説明】
【技術分野】
【０００１】この発明は、固い食材の調理の刃物の刃先を傷めにくく、調理済みの食材をバット、お皿などの容器に移し変え易く、煮込み時間の短縮が出来、飾り包丁が容易に出来るものである。
【背景技術】
【０００２】従来、調理するまな板は平板で、固いもの、飾り包丁の調理などが困難であった。調理したものをバット、お皿など容器に移すのも、まな板を移動させるか、手などで移動させるため、こぼすなどの不便があった。
【先行技術文献】
【０００３】
【特許文献１】
【発明の概要】
【発明が解決しようする課題】
【０００４】まな板に台を付けた事により、まな板の端に、バット、お皿などの容器がまな板部分の下に差し込めるので、調理したものがまな板部分から直接これらに入れられる。刃物が入る溝穴を切った事により、固い食材の蟹、伊勢海老、かぼちゃ、などが刃物の腹の部分まで突き刺さることにより切り易く、又飾り切り、煮込む時間のかかる食材に切り込みを入れる場合、溝穴部分は切り離れないので、容易に切り込みが入り、煮込み時間の短縮により燃費がよくなる。
【課題を解決するための手段】
【０００５】１、まな板部分に台を付ける。
２、まな板部分に溝穴を付ける
本発明は、以上の構成による溝穴付きまな板台である。
【発明の効果】
【０００６】まな板部分の上にある調理済みのものを移動させる時、まな板台部分の下に容器を差し込めるので調理済みの食材などがこぼれなくなる。煮込み時間のかかる固い食材に切り込みを入れる事により早く煮えるので燃費がよくなる。海老、蟹の調理は刃物の腹まで突き刺さるので、調理が容易に出来る。
【図面の簡単な説明】
【０００７】
【図１】本発明の斜視図
【図２】本発明の底面図
【図３】本発明の正面図
【発明を実施するための形態】
▲１▼  の溝穴で固いもの、飾り切りなどを行う。
▲２▼  の台の高さを利用して、まな板部分の下にバット、お皿など容器を差し込めるので、容器に調理した食材などがこぼれない。
【符号の説明】
【０００９】▲１▼  溝穴
▲２▼  台
2014217717.tif 000003
【図３】
2014217717.tif 000004
【手続補正書】
【提出日】平成25年6月28日(2013.6.28)
【手続補正１】
【補正対象書類名】図面
【補正対象項目名】全図
【補正方法】変更
【補正の内容】
【図１】
2014217717.tif 000005
【図２】
2014217717.tif 000006
【図３】
2014217717.tif 000007
(57)【要約】【課題】  従来の農業用マルチシートは主原料を石油由来ということから、使用後に廃棄し焼却処分する際に大量の二酸化炭素を排出することになり、地球温暖化や環境汚染を招くという問題があった。また、石油が主原料であることから高価であることも問題である。【解決手段】  安価な石灰石等の無機鉱物粉末７０〜９０重量％と染色された高密度ポリエチレンやポリプロピレンの樹脂３０〜１０重量％を配合したペレットを用いた厚さ５０〜１５μｍの環境に優しい農業用マルチシートを提供する。【特許請求の範囲】
【請求項１】
石灰石等の無機鉱物粉末と高密度ポリエチレンやポリプロピレン等の樹脂を配合したペレットを用いたシートよりなる農業用マルチシート。
【請求項２】
前記マルチシートは、前記石灰石等の無機鉱物粉末７０〜９０重量％と前記高密度ポリエチレンやポリプロピレン等の樹脂３０〜１０重量％を配合したことを特徴とするペレットを用いてなる請求項１記載のシート。
【請求項３】
前記ペレットは、原色または黒色、緑色、他に染色されたペレットを用いる。
【請求項４】
請求項１または請求項２〜３に記載のシートの厚さは５０〜１５μｍを特徴とする。
【発明の詳細な説明】
【技術分野】
【０００１】  本発明は、農産品の育成に適応した農業用マルチシートに関する。
【背景技術】
【０００２】  従来から、農産品の育成については植栽の種類、育成時期に合せて田畑の畝をカバーするシートが用いられている。【０００３】  前記シートには、主原料としてポリエチレン・ポリプロピレン等の樹脂のシートが用いられている。【０００４】  また、前記シートは、使用される目的、時期、用途により染色されたものが用いられている。【０００５】  また、前記樹脂に石灰石等の無機鉱物粉末を配合したペレットは既に市場で知られている。【０００６】  また、前記ペレットは多くの用途に適応するように染色されていることも知られている。
【発明の概要】
【発明が解決しようとする課題】
【０００７】  農産品の育成については、播種から収穫までの育成に即応した変化への対応が必要であり、その一環として植栽保護のシートが用いられ、近年ポリエチレンまたはポリプロピレンシートが主流となっている。従来のポリエチレン製のシートは、石油由来ということから、使用後に廃棄し焼却処分する際に大量の二酸化炭素を排出することになり、地球温暖化や環境汚染を招くという問題があった。また、石油が主原料であることから高価であることも問題とである。
【課題を解決するための手段】
【０００８】  農業用マルチシートであって、前記高密度ポリエチレンやポリプロピレンの樹脂に石灰石等の前記無機鉱物粉末を配合した着色ペレットから成る農業用マルチシートを用いると言うものである。【０００９】  前記シートは、前記無機鉱物粉末７０〜９０重量％と前記高密度ポリエチレンやポリプロピレン等の樹脂３０〜１０重量％を配合することを特徴としたペレットを用いてなる請求項１記載の農業用マルチシート。【００１０】  前記シートの厚さは５０〜１５μｍを特徴とする農業用マルチシート【００１１】  上記課題を解決し、上記目的を達成するために本発明の第１は農業用マルチシートであって、前記無機鉱物粉末と前記高密度ポリエチレンやポリプロピレンを配合したペレットを用いた着色シートであることを特徴とする。【００１２】  本発明のうち第２は、第１に係る農業用マルチシートであって、用いるシートは無機鉱物粉末を７０〜９０重量％、高密度ポリエチレンを３０〜１０重量％配合したものである。
【発明の効果】
【００１３】  本発明による石灰石等の無機鉱物粉末とポリエチレンやポリプロピレン等の樹脂を配合した着色ペレットより成るシートは、植栽の播種、発芽、育苗、育成等の各段階で効果が得られる。例えば、効果は紫外線防止、防風、防虫、土壌・種子・薬剤等の飛散防止、保温、保湿等が挙げられる。【００１４】  また、引張強度があり破れにくいので、使用中にシートが破れるという不具合を生じさせることも少ない。【００１５】  さらに、安価な石灰石等の無機鉱物粉末を主原料として配合したペレットを用いているので、前記樹脂を主原料とするシートに比べ安価である。【００１６】  また、無機鉱物粉末が主原料であることから、使用後燃えるゴミとして焼却可能であり、焼却処分による二酸化炭素の排出量はポリエチレンやポリプロピレン等の主原料とするシートと比較して８０〜９０％少なく、古紙７０％配合の紙からなるシートと比較しても３０％少ない。かつ、主原材料である無機鉱物粉末（石灰）は、ゴミ焼却時に発生する亜硫酸ガスの中和剤として働き、ダイオキシン発生を抑制する効果を有する。さらに、焼却した後の焼却残渣は、石灰肥料、酸性土壌改良剤として活用することができる。
(57)【要約】【課題】安全で楽しい魚釣りをする為の道具が少ない現状【解決手段】竿受け台を使う事で足元のスペースが確保され、風によって竿が横に移動する事を防ぎあわてた行動をなくす事で水辺の事故を少なくします。【選択図】図１
2014217366.tif 000002
【特許請求の範囲】
【請求項１】
竿を受ける後部と全体を支える前部に脚を取付け、前部、後部をパイプで連結し全体を安定させる。
【請求項２】
竿を受ける部分は台座と竿を受ける部分に２つに分け、後部でボルトで連結し回転可能にする。竿を受ける前部の底に回転可能な軸を取付け、そこにボルトを取付け、台座を通して蝶ナットで上下から止める。このボルトは竿受け部分が上下する時前後に移動する為、台座に前後に２．５ｃｍ位の溝を作っておく。
【発明の詳細な説明】
【技術分野】この発明は魚釣りに関する物である。
【背景技術】釣具店や釣場などで多く見られるのは三脚を利用した物やクーラーボックスに直接竿を受ける部分と支える部分を取付けた物が有ります。
【先行技術文献】
平成２３年５月に私の考案した竿受け台ＳＴ−Ｈ２０が実用新案登録出来たものがあります。
【発明の概要】
【発明が解決しようとする課題】私が考案、登録した竿受け台は、竿を直接受ける後部と全体を支える前部に第一精工（株）製作のスーパー受太郎を使用しておりますが、いつ値段が変わるのか、いつ製造が中止になるのかわかりません。
【課題を解決するための手段】スーパー受太郎に代わる竿受け部分を独自に考案、製作しました。
【発明の効果】金型工場、脚の製作工場の確保により常に安定した価格、供給量を維持できますと共に、安全かつ安心で楽しく魚釣りが出来ます。
【図面の簡単な説明】
【図１】竿受け台全体を示した平面図である。
【図２】図１で見えない部分を表わした図である。６のボルトに１、２、４、３、５、７と順番に重ね８のナットで締付ける。又、１４のボルトに９、１０、１１、４、１４、１３を重ね１５のナットで締付ける。その上に１６を乗せ１７のナットで締付ける。竿を上下させるには１８に付いている蝶ネジを上下させ１７の竿受け部分を移動させる。
【図１】
2014217366.tif 000003
【図２】
2014217366.tif 000004
(57)【要約】      （修正有）【課題】害虫の樹木へのはい昇りを防止する装置を提供する。【解決手段】樹木５の根元近傍に、水堀２を設けた装置１を設置することにより、進入路を遮断して、害虫の樹木５へのはい昇りを阻止する。【選択図】図３
2014217368.tif 000002
【特許請求の範囲】
【請求項１】
樹木の根元近傍に、害虫のはい昇りを防止する、水堀を設けた装置
【発明の詳細な説明】
【技術分野】
【０００１】本発明は樹木の根元近傍に、樹木と大地の間を遮断する、水堀を設けることにより、害虫の樹木へのはい昇りを阻止しようとするものである。
【背景技術】
【０００２】従来害虫駆除については、人力による補殺、あるいは薬剤散布があった、しかし人件費、あるいは環境汚染のおそれがあり万全ではなかった。
【発明の概要】
【０００３】この発明は地上から樹木の幹を伝ってはい昇る害虫を、水堀を有する本発明によって、進入路を遮断し、害虫のはい昇りを防止しようとするものである、
第一図はこの害虫はい昇り防止装置の、左半分を図示している、
第二図はこの害虫はい昇り防止装置の、右半分を図示している、
第三図はこの害虫はい昇り防止装置の左半分と、右半分を樹木幹を内包する形で根本近傍で  接着した図である、
この状態で水堀▲２▼に水を満たし、害虫のはい昇り通路を遮断し、害虫のはい昇りを防止するものである。
【課題を解決するための手段】
【０００４】この防止器の特性上、水平に設置する必要がある、
また接着面の漏水対策が課題である。
【発明の効果】
【０００５】害虫の防止により、良質の製品が期待できる。
【発明を実施するための最良の形態】
【０００６】広く社会に告知し、この発明の普及をはかる。
【図面の簡単な説明】
【０００７】第一図
▲１▼はこの害虫はい昇り防止装置の左半分である、
▲２▼はこの害虫はい昇り防止装置の水堀である、
▲３▼はこの害虫はい昇り防止装置の、樹木幹の貫通穴の左半分である、
▲４▼は第二図に示す害虫はい昇り防止装置右半分と接着する、接着面である、
第二図
▲１▼はこの害虫はい昇り防止装置の右半分である、
▲２▼はこの害虫はい昇り防止装置の水堀である、
▲３▼はこの害虫はい昇り防止装置の、樹木幹の貫通穴の右半分である、
▲４▼は第一図に示す害虫はい昇り防止装置左半分と接着する、接着面である、
第三図
▲１▼は第一図害虫はい昇り防止装置左半分と、第二図害虫はい昇り防止装置右半分を、樹木幹を内包した状態で接着した図である、
▲２▼は害虫はい昇り防止装置の水堀である、なお使用状態ではここに水を張っておく、
▲３▼は樹木貫通穴である、
▲４▼は害虫はい昇り防止装置の接着面である、
▲５▼は樹木幹である、
▲６▼は樹木幹と樹木幹貫通穴との隙間である、
▲７▼は▲６▼の隙間を樹木幹を損傷しないように、やわらかな布切れを充てんしている。
【符号の説明】
【０００８】第一図
▲１▼はこの発明による  害虫はい昇り防止装置の左半分である、
▲２▼はこの発明による  害虫はい昇り防止装置の水堀である、
▲３▼は樹木の幹を貫通させるための、貫通穴の左半分である、
▲４▼はこの第一図害虫はい昇り防止装置左半分と、第二図害虫はい昇り防止装置を、樹木幹を内包しながら接着する、接着面である。
第二図
▲１▼この発明による  害虫はい昇り防止装置の右半分である、
▲２▼この発明による  害虫はい昇り防止装置の水堀である、
▲３▼は樹木の幹を貫通させるための、貫通穴の右半分である、
▲４▼はこの第二図害虫はい昇り防止装置右半分と、第一図害虫はい昇り防止装置を、樹木幹を内包しながら接着する、接着面である。
第三図
第一図害虫はい昇り防止装置左半分と、第二図害虫はい昇り防止装置右半分を樹木幹を内包しながら接着面▲４▼を接着した図である、
▲１▼はこの害虫はい昇り防止装置の左半分、および右半分である、
▲２▼はこの害虫はい昇り防止装置の、水堀である、
▲３▼はこの害虫はい昇り装置の、樹木幹貫通穴である、
▲４▼はこの害虫はい昇り防止装置の左半分、および右半分の接着面である、
▲５▼は樹木幹である、
▲６▼はこの害虫はい昇り防止装置と、樹木幹との隙間である、
▲７▼は▲６▼の隙間に充てんした、柔かい布片である。
【図１】
2014217368.tif 000003
【図２】
2014217368.tif 000004
【図３】
2014217368.tif 000005
【手続補正書】
【提出日】平成25年6月26日(2013.6.26)
【手続補正１】
【補正対象書類名】明細書
【補正対象項目名】０００７
【補正方法】変更
【補正の内容】
【０００７】
【図１】立体図  この発明による、害虫はい昇り防止装置の立体図である、ただし左半分である。▲１▼はこの発明による害虫はい昇り防止装置の、左半分である。▲２▼はこの発明による、害虫はい昇りの水堀である、▲３▼は樹木の幹を貫通させるための、貫通穴の左半分である、▲４▼はこの第一図害虫はい昇り防止装置左半分と、第二図害虫はい昇り防止装置右半分を樹木幹を内包しながら、接着する接着面である。
【図２】立体図  この発明による害虫はい昇り防止装置の立体図である、ただし右半分である。▲１▼はこの発明による、害虫はい昇り防止装置の、右半分である、▲２▼はこの発明による、害虫はい昇り防止装置の水堀である、▲３▼は樹木幹を貫通させるための、貫通穴の右半分である、▲４▼はこの第二図害虫はい昇り防止装置右半分と、第一図害虫はい昇り防止装置を樹木幹を内包しながら、接着する接着面である。
【図３】立体図  この発明による、害虫はい昇り防そ装置の立体図である。▲１▼は第一図害虫はい昇り防止装置左半分と、第二図害虫はい昇り防止装置右半分を樹木幹を内包しながら、接着面▲４▼を接着した図である、▲２▼はこの害虫はい昇り防止装置の水堀である、▲３▼この害虫はい昇り防止装置の樹木幹貫通穴である、▲４▼はこの害虫はい昇り防止装置の左半分、および右半分の接着面である、▲５▼は樹木幹である、▲６▼はこの害虫はい昇り防止装置と樹木幹との隙間である、▲７▼は▲６▼の隙間に充てんした、柔かい布片である。
(57)【要約】      （修正有）【課題】有機性汚泥から効率的にメタンを生成させるための汚泥の前処理方法を提供する。【解決手段】有機性汚泥をうすい層状にして、１〜１０ＧＨＺの範囲のマイクロ波、好ましくは水がよく吸収する２．４５ＧＨＺ前後の２．４〜２．５ＧＨＺのマイクロ波を照射した後に、又はマイクロ波を循環照射しながら嫌気性微生物等に有機物を分解させてメタンを発生させる、回分式又は連続式の消化工程に移行することで、メタン発生効率を向上させる。【選択図】図１
2014217815.tif 000002
【特許請求の範囲】
【請求項１】
有機性汚泥にマイクロ波を照射した後に、又はマイクロ波を循環照射しながら消化工程に移行することでメタン発生効率を向上させたことを特徴とする有機性汚泥の処理方法。
【発明の詳細な説明】
【技術分野】
【０００１】
本発明は、下水汚泥等の有機性汚泥の処理方法に関し、特にメタン発生効率の向上を目的とした処理方法に係る。
【背景技術】
【０００２】
下水汚泥、畜産関連汚泥は有機物が主な成分であり、それらの処理過程において各種エネルギー回収方法が検討されている。
その一つに、微生物を用いた消化によるメタン回収がある。
メタン発酵は汚泥の減容化とその過程で発生するメタンガスのエネルギー利用が可能であり、比較的大規模な下水処理場では導入が進んでいる。
しかし、全国の下水処理場のうち大半を占める小規模な下水処理場では、オキシデーションディッチ法が数多く採用されており、オキシデーションディッチ法から発生する汚泥は一般的に大規模な下水処理場で数多く採用されている標準活性汚泥法から発生する汚泥に比較して汚泥の分解率が低く、これまではメタン発酵に適していないとされていた。
そこで本発明者らは、汚泥のメタン発生効率の向上を図れないか誠意研究した結果、本発明に至った。
【０００３】
特許文献１には、有機性汚水の生物処理工程より発生する余剰汚泥にマイクロ波を照射して汚泥細菌を死滅させた後に生物処理工程へ返送し、消化させる技術を開示する。
しかし、同公報に開示する技術は、微生物が増殖して発生した余剰汚泥は生物処理槽へそのままでは返送できないので、汚泥細菌を死滅させることを目的にこの余剰汚泥にマイクロ波を照射したものであって、濃縮汚泥や脱水汚泥を消化工程に投入する前の前処理としてマイクロ波を照射し、メタン発生効率の向上を図るものではない。
【先行技術文献】
【特許文献】
【０００４】
【特許文献１】特開２００２−１７２３９８号公報
【発明の概要】
【発明が解決しようとする課題】
【０００５】
本発明は、有機性汚泥から効率的にメタンを生成させるための汚泥の前処理方法の提供を目的とする。
【課題を解決するための手段】
【０００６】
本発明に係る有機性汚泥の処理方法は、有機性汚泥にマイクロ波を照射した後に、又はマイクロ波を循環照射しながら消化工程に移行することでメタン発生効率を向上させたことを特徴とする。
【０００７】
ここで消化工程とは、主に嫌気性微生物等に有機物を分解させてメタンを発生させる工程をいい、回分式でも連続式でもよい。
本発明に用いるマイクロ波は１〜１０ＧＨＺの範囲がよく、好ましくは水がよく吸収する２．４５ＧＨＺ前後の２．４〜２．５ＧＨＺがよい。
また、汚泥にマイクロ波を照射する場合にマイクロ波の汚泥による吸収性を考慮し、汚泥の内部まで均一に照射するには、この汚泥をうすい層状にして照射するのが好ましい。
汚泥を層状にする方法としては、内管と外管との二重管にして内管と外管との間に形成された環状部に汚泥をポンプ圧送すると、うすい環状層の状態で汚泥が流れるので、その途中に周囲から環状にマイクロ波の照射部を配設する方法が例として挙げられる。
また、内部が中空のプレート管に汚泥を層状に流し、上下からマイクロ波を照射してもよい。
二重管やプレート管の材質としては、耐熱性があり、マイクロ波を透過するものがよく、例としてはフッ素樹脂、シリコン樹脂等が挙げられる。
二重管やプレート管をマイクロ波の遮蔽室に配置することでマイクロ波の漏洩を防止し、管内を通すので臭気の発生も抑える。
また、汚泥にマイクロ波を照射した後に、消化タンクに投入してもよく、消化タンクに投入した汚泥の一部を取り出して循環させながらマイクロ波を照射してもよい。
【発明の効果】
【０００８】
本発明に係る汚泥の前処理方法を用いると、マイクロ波が照射された汚泥は内部の水分が活性化し、細胞壁の物質透過性が向上したと推定され、その後の消化タンクでのメタン生成率が向上する。
【図面の簡単な説明】
【０００９】
【図１】メタンガスの発生量の推移をグラフに示す。
【発明を実施するための形態】
【００１０】
本発明を以下実験結果に基づいて説明する。
オキシデーションディッチ法（ＯＤ）による下水処理場を有するＡ処理場から提供していただいたＯＤ脱水汚泥を１００ｍｌのプラスチックシリンジに投入し、周波数２．４５ＧＨＺ、照射出力７５０Ｗのマイクロ波発生装置を用いて、照射時間０秒、３０秒、６０秒、１２０秒の４水準の試験サンプルを作成した。
試験サンプルを３５℃の中温条件に保持し、経過日数とメタンガスの発生量を測定した結果を図１のグラフに示す。
なお、投入固形物置あたりのメタンガス発生量はマイクロ波照射時間０秒（照射なし）のもので０．１５７（Ｌ／ｇ−ＴＳ），３０秒のもので０．１８７（Ｌ／ｇ−ＴＳ），６０秒のもので０．１９４（Ｌ／ｇ−ＴＳ），１２０秒のもので０．２２５（Ｌ／ｇ−ＴＳ）であった。
従って、マイクロ波を１２０秒照射したものはマイクロ波を照射しなかったものに対して、その後の消化工程でメタンガスの発生量が約１．５培向上したことが明らかになった。
【図１】
2014217815.tif 000003
(57)【要約】【課題】トングに外の汚れが付着しない、手が内容物で汚れない、トング付き容器を提供する。【解決手段】蓋の内側にトングを収納し、蓋のジャバラ部分をたたむことにより、蓋についたままトングを使用できるようにした、トング付き容器。【選択図】図１
2014217491.tif 000002
【特許請求の範囲】
【請求項１】
蓋の内側にトングを収納し、蓋のジャバラ部分をたたむことにより、蓋についたままトングを使用できるようにした、トング付き容器。
【発明の詳細な説明】
【技術分野】
【０００１】
本発明は、蓋の内側にトングを付け、蓋をたたむことにより、そのままトングを使用できるようにした、トング付き容器に関するものである。
【背景技術】
【０００２】
従来、容器の外側にトングを装着することができる容器があった。
【発明の概要】
【発明が解決しようとする課題】
【０００３】
次のような問題点があった。
（イ）容器の外側にトングを装着する場合、トングに外側の汚れが付着するという問題があった。
（ロ）容器の内側にトングを入れる場合、トングに内容物がついてしまい、手が汚れるという問題があった。
本発明は、以上の問題点を解決するためになされたものである。
【課題を解決するための手段】
【０００４】
蓋の内側にトングを収納し、蓋のジャバラ部分をたたむことにより、蓋についたままトングを使用できるようにした。
【発明の効果】
【０００５】
トングが内側に収納されているので、トングに外側の汚れがつかない。また、蓋の外側からつまむので、手が内容物で汚れない。
【図面の簡単な説明】
【０００６】
【図１】本発明の断面図である。
【図２】本発明の、蓋のつまみの部分（１ｂ）をつまむ前の使用状態を示した断面図である。
【図３】本発明の、蓋のつまみの部分（１ｂ）をつまんだ後の使用状態を示した断面図である。
【図４】本発明の斜視図である。
【発明を実施するための形態】
【０００７】
以下、本発明の実施の形態について説明する。
（イ）弾性体の蓋（１）の内側にトング（３）をさし込んで収納する。
本発明を使用するときは、蓋（１）を容器（２）から外し、蓋のジャバラ部分（１ａ）をたたむと、トングが露出する。つぎに、蓋のつまみの部分（１ｂ）を外側からつまむことにより、トング（３）を使用する。使い終わったら、蓋のジャバラの部分（１ａ）を伸ばして、蓋（１）を容器（２）に付ける。
【符号の説明】
【０００８】
１    蓋
１ａ  蓋のジャバラ部分
１ｂ  蓋のつまみの部分
２    容器
３    トング
【図１】
2014217491.tif 000003
【図２】
2014217491.tif 000004
【図３】
2014217491.tif 000005
【図４】
2014217491.tif 000006